(57)【要約】【課題】本発明は、両面に画像表示可能な電子ペーパーから複数ページにわたる画像を読み取る場合の読み取り効率を向上させることができる画像読取装置を提供する。【解決手段】画像読取装置１は、原稿トレイ１０５上に載置された原稿を読取位置Ｒ１に搬送した後、原稿の表裏を反転させて再度読取位置Ｒ１に搬送するＡＤＦ１００を備える。ＡＤＦ１００は、原稿トレイ１０５上から電子ペーパーを読取位置Ｒ１に搬送する際に、その表面に１ページ目の画像を表示させる。次に、電子ペーパーを反転させて再度読取位置Ｒ１に搬送する際に、その裏面に２ページ目の画像を表示させる。以降は、画像を読み取る度にカウントされるページ数Ｎが奇数のときに、電子ペーパー表面に奇数ページの画像を表示させる一方、ページ数が奇数でないときは、電子ペーパーの裏面に偶数ページの画像を表示させる。【選択図】図６
2010251833.tif 000002
【特許請求の範囲】
【請求項１】
原稿の画像を読み取る読取手段と、原稿載置台に載置された原稿を前記読取手段の読取位置に搬送する第１の搬送手段と、前記原稿の表裏を反転させて前記読取位置に搬送する第２の搬送手段とを備える画像読取装置において、
前記第１の搬送手段または前記第２の搬送手段により前記読取位置に搬送される電子ペーパーの表面及び／又は裏面に画像を表示させる第１の制御手段と、
前記電子ペーパーに格納された複数の画像のうち奇数ページにあたる画像を読み取るときには、前記第１の制御手段により前記電子ペーパーの表面に画像を表示させ、偶数ページにあたる画像を読み取るときには、前記第１の制御手段により前記電子ペーパーの裏面に画像を表示させて、前記読取手段により前記電子ペーパーの表示画像を読み取らせる第２の制御手段とを備えることを特徴とする画像読取装置。
【請求項２】
前記原稿載置台に載置された原稿が電子ペーパーか否かを判別する判別手段と、
前記判別手段により電子ペーパーと判別されたものから当該電子ペーパーに格納された画像ファイルに関する情報を取得する取得手段と、
前記取得手段により取得された画像ファイルに関する情報を表示して前記読取手段に読み取らせる画像のファイルを選択させるための選択手段とをさらに備えることを特徴とする請求項１記載の画像読取装置。
【請求項３】
前記読取位置に搬送される電子ペーパーと通信を行う通信手段と、
前記通信手段により通信を行って前記電子ペーパーの表面及び裏面に画像ファイルの画像をページ毎に表示させる表示制御手段と、
前記読取手段が画像を読み取る度に前記画像ファイルのページ数をカウントするカウント手段とをさらに備えることを特徴とする請求項１または２記載の画像読取装置。
【請求項４】
前記カウント手段によりカウントされたページ数が奇数か否かを判定する判定手段をさらに備え、
前記第１の制御手段は、前記判定手段により奇数と判定されたときは、前記表示制御手段により前記電子ペーパーの表面に奇数ページの画像を表示させ、前記判定手段により奇数でないと判定されたときは、前記表示制御手段により前記電子ペーパーの裏面に偶数ページの画像を表示させることを特徴とする請求項３記載の画像読取装置。
【請求項５】
前記カウント手段によりカウントされたページ数が奇数か否かを判定する判定手段をさらに備え、
前記第１の制御手段は、前記判定手段により奇数と判定されたときは、前記表示制御手段により前記電子ペーパーの表面に奇数ページの画像を表示させ、且つ前記電子ペーパーの裏面に当該奇数ページの次のページの画像を表示させることを特徴とする請求項３記載の画像読取装置。
【請求項６】
前記表示制御手段は、前記判定手段により奇数でないと判定されたときは、表示画像の切り替えを行わないことを特徴とする請求項５記載の画像読取装置。
【請求項７】
原稿の画像の表面を読み取る第１の読取手段と、前記原稿の画像の裏面を読み取る第２の読取手段と、原稿載置台に載置された原稿を前記第１の読取手段の読取位置及び前記第２の読取手段の読取位置に搬送する第１の搬送手段と、前記原稿の表裏を反転させて前記第１の読取手段の読取位置に搬送する第２の搬送手段とを備える画像読取装置において、
前記第１の搬送手段または前記第２の搬送手段により前記読取位置に搬送される電子ペーパーの表面及び／又は裏面に画像を表示させる第１の制御手段と、
前記第１の制御手段により、前記電子ペーパーに格納された複数の画像をページ順に当該電子ペーパーの表面及び裏面に表示させて、前記第１の読取手段及び前記第２の読取手段により前記電子ペーパーの表示画像を読み取らせる第２の制御手段とを備えることを特徴とする画像読取装置。
【請求項８】
前記原稿載置台に載置された原稿が電子ペーパーか否かを判別する判別手段と、
前記判別手段により電子ペーパーと判別されたものから当該電子ペーパーに格納された画像ファイルに関する情報を取得する取得手段と、
前記取得手段により取得された画像ファイルに関する情報を表示して前記読取手段に読み取らせる画像のファイルを選択させるための選択手段とをさらに備えることを特徴とする請求項７記載の画像読取装置。
【請求項９】
前記読取位置に搬送される電子ペーパーと通信を行う通信手段と、
前記通信手段により通信を行って前記電子ペーパーの表面及び裏面に画像ファイルの画像をページ毎に表示させる表示制御手段と、
前記第２の搬送手段が前記第１の読取手段の読取位置に前記電子ペーパーを搬送する度に前記画像ファイルのページ数をカウントするカウント手段とをさらに備えることを特徴とする請求項７または８記載の画像読取装置。
【請求項１０】
前記カウント手段によりカウントされたページ数が奇数か否かを判定する判定手段をさらに備え、
前記第１の制御手段は、前記判定手段により奇数と判定されたときは、前記表示制御手段により前記電子ペーパーの表面に表示された画像のページに３を加えたページの画像を表示させ、且つ前記電子ペーパーの裏面に表示された画像のページに１を加えたページの画像を表示させ、前記判定手段により奇数でないと判定されたときは、前記表示制御手段により前記電子ペーパーの表面に表示された画像のページに１を加えてページの画像を表示させ、且つ前記電子ペーパーの裏面に表示された画像のページに３を加えたページの画像を表示させることを特徴とする請求項９記載の画像読取装置。
【請求項１１】
前記第１の制御手段は、前記第２の搬送手段により反転された電子ペーパーに対して、当該電子ペーパーの表面に表示された画像のページに２を加えたページの画像を表示させ、且つ前記電子ペーパーの裏面に表示された画像のページに２を加えたページの画像を表示させることを特徴とする請求項９記載の画像読取装置。
【請求項１２】
原稿の画像を読み取る読取手段と、原稿載置台に載置された原稿を前記読取手段の読取位置に搬送する第１の搬送手段と、前記原稿の表裏を反転させて前記読取位置に搬送する第２の搬送手段とを備える画像読取装置の画像読取方法において、
前記第１の搬送手段または前記第２の搬送手段により前記読取位置に搬送される電子ペーパーの表面及び／又は裏面に画像を表示させる第１の制御工程と、
前記電子ペーパーに格納された複数の画像のうち奇数ページにあたる画像を読み取るときには、前記電子ペーパーの表面に画像を表示させ、偶数ページにあたる画像を読み取るときには、前記電子ペーパーの裏面に画像を表示させて、前記読取手段により前記電子ペーパーの表示画像を読み取らせる第２の制御工程とを備えることを特徴とする画像読取方法。
【請求項１３】
原稿の画像の表面を読み取る第１の読取手段と、前記原稿の画像の裏面を読み取る第２の読取手段と、原稿載置台に載置された原稿を前記第１の読取手段の読取位置及び前記第２の読取手段の読取位置に搬送する第１の搬送手段と、前記原稿の表裏を反転させて前記第１の読取手段の読取位置に搬送する第２の搬送手段とを備える画像読取装置の画像読取方法において、
前記第１の搬送手段または前記第２の搬送手段により前記読取位置に搬送される電子ペーパーの表面及び／又は裏面に画像を表示させる第１の制御工程と、
前記電子ペーパーに格納された複数の画像をページ順に当該電子ペーパーの表面及び裏面に表示させて、前記第１の読取手段及び前記第２の読取手段により前記電子ペーパーの表示画像を読み取らせる第２の制御工程とを備えることを特徴とする画像読取方法。
【請求項１４】
原稿の画像を読み取る読取手段と、原稿載置台に載置された原稿を前記読取手段の読取位置に搬送する第１の搬送手段と、前記原稿の表裏を反転させて前記読取位置に搬送する第２の搬送手段とを備える画像読取装置の画像読取方法を画像読取装置に実行させるプログラムおいて、
前記第１の搬送手段または前記第２の搬送手段により前記読取位置に搬送される電子ペーパーの表面及び／又は裏面に画像を表示させる第１の制御ステップと、
前記電子ペーパーに格納された複数の画像のうち奇数ページにあたる画像を読み取るときには、前記電子ペーパーの表面に画像を表示させ、偶数ページにあたる画像を読み取るときには、前記電子ペーパーの裏面に画像を表示させて、前記読取手段により前記電子ペーパーの表示画像を読み取らせる第２の制御ステップとを備えることを特徴とするプログラム。
【請求項１５】
原稿の画像の表面を読み取る第１の読取手段と、前記原稿の画像の裏面を読み取る第２の読取手段と、原稿載置台に載置された原稿を前記第１の読取手段の読取位置及び前記第２の読取手段の読取位置に搬送する第１の搬送手段と、前記原稿の表裏を反転させて前記第１の読取手段の読取位置に搬送する第２の搬送手段とを備える画像読取装置の画像読取方法を画像読取装置に実行させるプログラムおいて、
前記第１の搬送手段または前記第２の搬送手段により前記読取位置に搬送される電子ペーパーの表面及び／又は裏面に画像を表示させる第１の制御ステップと、
前記電子ペーパーに格納された複数の画像をページ順に当該電子ペーパーの表面及び裏面に表示させて、前記第１の読取手段及び前記第２の読取手段により前記電子ペーパーの表示画像を読み取らせる第２の制御ステップとを備えることを特徴とするプログラム。
【発明の詳細な説明】
【技術分野】
【０００１】
本発明は、画像読取装置及び方法、並びにプログラムに関し、特に、紙媒体及び電子ペーパーから画像を読み取ることが可能な画像読取装置及び方法、並びにプログラムに関する。
【背景技術】
【０００２】
従来、複写機に搭載される画像読取装置またはスキャナ装置等の単独で利用される画像読取装置には、原稿を固定して画像を読み取る原稿固定読取と原稿を搬送しつつ画像を読み取る原稿流し読取の両方の読取方法が可能なものがある。このような画像読取装置には、原稿流し読取方法で画像を読み取るために、原稿を原稿トレイから読取位置を経て排紙トレイへ自動的に給送する原稿搬送装置（ＡＤＦ）が搭載されている。原稿搬送装置が搭載された画像読取装置では、原稿が読取位置を通過する際に、ラインＣＣＤなどの読取センサにより原稿上の画像を読み取る。また、画像読取装置では、原稿トレイと排紙トレイとが互いに上下の関係になるように配置され、固定原稿読取と原稿流し読取とがコンパクトな構成で実現される。
【０００３】
画像読取装置に搭載される原稿搬送装置には、原稿の両面を読み取る両面読取モードに対応可能なものがある。この両面読取モードが実行される際には、原稿の第１面（表面）の読み取り後、原稿を反転させて原稿の第２面（裏面）を読み取り、さらに排紙面順を合わせるためにもう一度原稿を空反転させて排紙するように原稿搬送装置により原稿の搬送が行われる。すなわち、原稿の両面を読み取る際には、１枚の原稿が３回読取位置を通過するように原稿の搬送動作が行われる。
【０００４】
また、原稿搬送装置内に裏面用の光学系を搭載し、一度の搬送で両面を読み取る両面同時読み取りが可能な画像読取装置が提案されている。（例えば、特許文献１参照）。
【０００５】
ところで、近年、紙媒体とディスプレイの長所を併せ持つ「電子ペーパー」の開発が進められている。電子ペーパーの利点は、紙の消費を押さえ、環境負荷を軽減できる点にある。このような背景の中、紙媒体と電子ペーパーの双方を読み取ることが可能な画像読取装置が提案されている（例えば、特許文献２参照）。
【先行技術文献】
【特許文献】
【０００６】
【特許文献１】特開２００１−２５１４７４号公報
【特許文献２】特開２００８−１４１５９０号公報
【発明の概要】
【発明が解決しようとする課題】
【０００７】
しかしながら、表裏両面に画像表示可能な電子ペーパーを原稿搬送装置を搭載した画像読取装置で読み取る場合、複数ページある画像を電子ペーパー上の表示を切り替えながらイメージセンサで読み取っていくことになる。そのため、１枚の電子ペーパーがイメージセンサ上を何度も通過することが予想される。上記特許文献２には、表裏両面に画像表示可能な電子ペーパーを両面同時に読み取る方法について配慮がされておらず、改善の余地がある。
【０００８】
また、電子ペーパーの表面のみに画像を表示して画像を読み取る場合には、画像読み取り作業の効率が低下するという問題がある。
【０００９】
本発明は、両面に画像表示可能な電子ペーパーから複数ページにわたる画像を読み取る場合の読み取り効率を向上させることができる画像読取装置及び方法、並びにプログラムを提供することを目的とする。
【課題を解決するための手段】
【００１０】
上記目的を達成するために、請求項１記載の画像読取装置は、原稿の画像を読み取る読取手段と、原稿載置台に載置された原稿を前記読取手段の読取位置に搬送する第１の搬送手段と、前記原稿の表裏を反転させて前記読取位置に搬送する第２の搬送手段とを備える画像読取装置において、前記第１の搬送手段または前記第２の搬送手段により前記読取位置に搬送される電子ペーパーの表面及び／又は裏面に画像を表示させる第１の制御手段と、前記電子ペーパーに格納された複数の画像のうち奇数ページにあたる画像を読み取るときには、前記第１の制御手段により前記電子ペーパーの表面に画像を表示させ、偶数ページにあたる画像を読み取るときには、前記第１の制御手段により前記電子ペーパーの裏面に画像を表示させて、前記読取手段により前記電子ペーパーの表示画像を読み取らせる第２の制御手段とを備えることを特徴とする。
【００１１】
上記目的を達成するために、請求項７記載の画像読取装置は、原稿の画像の表面を読み取る第１の読取手段と、前記原稿の画像の裏面を読み取る第２の読取手段と、原稿載置台に載置された原稿を前記第１の読取手段の読取位置及び前記第２の読取手段の読取位置に搬送する第１の搬送手段と、前記原稿の表裏を反転させて前記第１の読取手段の読取位置に搬送する第２の搬送手段とを備える画像読取装置において、前記第１の搬送手段または前記第２の搬送手段により前記読取位置に搬送される電子ペーパーの表面及び／又は裏面に画像を表示させる第１の制御手段と、前記第１の制御手段により、前記電子ペーパーに格納された複数の画像をページ順に当該電子ペーパーの表面及び裏面に表示させて、前記第１の読取手段及び前記第２の読取手段により前記電子ペーパーの表示画像を読み取らせる第２の制御手段とを備えることを特徴とする。
【発明の効果】
【００１２】
本発明によれば、両面に画像表示可能な電子ペーパーから複数ページにわたる画像を読み取る場合であっても、読み取り効率を落とすことなく、画像読み取りを行うことができる。
【図面の簡単な説明】
【００１３】
【図１】本発明の第１の実施形態に係る画像読取装置の概略構成を示す図である。
【図２】図１における制御部の概略構成を示すブロック図である。
【図３】図２におけるＡＤＦ制御部の概略構成を示す図である。
【図４】画像読取装置により実行される電子ペーパー判別処理の一例を示すフローチャートである。
【図５】操作部に表示される画像ファイルの選択画面の一例を示す図である。
【図６】図５のステップＳ１０６における電子ペーパーの読取処理の詳細を示すフローチャートである。
【図７】本発明の第２の実施形態に係る画像読取装置で実行される電子ペーパーの読取処理の詳細を示すフローチャートである。
【図８】本発明の第３の実施形態に係る画像読取装置の概略構成を示す図である。
【図９】本発明の第３の実施形態に係る画像読取装置で実行される電子ペーパーの読取処理の詳細を示すフローチャートである。
【図１０】図９の処理で電子ペーパーに表示する画像の順序を表した図である。
【図１１】本発明の第４の実施形態に係る画像読取装置で実行される電子ペーパーの読取処理の詳細を示すフローチャートである。
【図１２】図１３の処理で電子ペーパーに表示する画像の順序を表した図である。
【発明を実施するための形態】
【００１４】
以下、本発明の実施の形態を図面を参照して詳細に説明する。
【００１５】
［第１の実施形態］
図１は、本発明の第１の実施形態に係る画像読取装置の概略構成を示す図である。
【００１６】
図示例の画像読取装置１は、原稿搬送装置（ＡＤＦ）１００と、イメージリーダ（画像読取部）２００とを備える。ＡＤＦ１００は、原稿積載台としての原稿トレイ１０５上にセットされた原稿束Ｐを最上紙から順に１枚ずつ装置内に搬送し、湾曲したパスを介してプラテンガラス２０４上に搬送する。イメージリーダ２００は、プラテンガラス２０４、原稿プラテン２０５、スキャナユニット２０６、イメージセンサ２０７、及び制御部２０８を備え、原稿上の画像情報を光学的に読み取り、光電変換して画像データとして入力する。
【００１７】
ＡＤＦ１００は、給送ローラ１０２、繰り出しローラ１０３、分離パッド１０４、第１レジストローラ１０７ａ，１０７ｂ、第２レジストローラ１０８、第１リードローラ１０９、リードコロローラ１１０、プラテンローラ１１１を備える。さらに、第２リードローラ１１２、第３リードローラ１１３、排紙反転ローラ１１４ａ，１１４ｂを備える。これらの機能等については後述する。
【００１８】
また、ＡＤＦ１００は、分離センサＳ１と、レジストセンサＳ２と、リードセンサＳ３と、排紙センサＳ４と、原稿セットセンサＳ５を備える。分離センサＳ１は、給送ローラ１０２近傍の搬送路上に配置され、原稿の先端及び後端を検知することにより分離給送の原稿を検知するセンサである。レジストセンサＳ２は、第１レジストローラ１０７ａ，１０７ｂ近傍の搬送路上に配置され、原稿の先端を検出するセンサである。リードセンサＳ３は、第１リードローラ１０９とリードコロローラ１１０近傍の搬送路上に配置され、原稿の先端を検知して読取信号を知らせるセンサである。排紙センサＳ４は、第３リードローラ１１３と排紙反転ローラ１１４ａ，１１４ｂの間の搬送路上に配置され、原稿の先端及び後端を検知するセンサである。原稿セットセンサＳ５は、原稿トレイ１０５内に設置され、原稿が原稿トレイ１０５上にセットされているかを検知するセンサである。
【００１９】
さらに、ＡＤＦ１００は、繰り出しローラ１０３の下方で原稿トレイ１０５の端部に、原稿トレイ１０５上に載置された電子ペーパーを検出するための電子ペーパー検出部１０１を備える。また、第１リードローラ１０９近傍の搬送路上には、ページ切替部１１６（表示制御手段）が設置されている。ページ切替部１１６は、電子ペーパーと通信を行って、電子ペーパーに格納された画像ファイルの画像をページ毎に、当該電子ペーパーの表面や裏面に表示させる機能を有する。この機能は、本実施例における第１の制御手段の一例である。
【００２０】
電子ペーパーは、図示していないが、例えば、ポリマー・フィルムを用いた液晶ディスプレイ（ＰＦＬＣＤ）であって、任意の形状に変形することが可能なものである。また、電子ペーパーには無線通信タグであるＲＦＩＤを搭載されている。本実施の形態では、電子ペーパーは表裏両面に画像を表示することが可能なものである。ＡＤＦ１００は、紙媒体と同様にして、電子ペーパーを搬送することが可能である。
【００２１】
画像読取装置１は、片面に画像情報を有する原稿を搬送しつつその画像情報を読み取る片面読取モードと、両面に画像情報を有する原稿を搬送しつつそれらの画像情報を読み取る両面読取モードを有する。
【００２２】
片面読取モードでは、原稿を所定の読取速度でプラテンガラス２０４上の読取位置Ｒ１へ搬送し、不図示のランプとミラーを有するスキャナユニット２０６を読取位置Ｒ１で固定したまま原稿の画像読み取りを行う。その後、読み取った原稿を排紙トレイ１０６に排出する。
【００２３】
一方、両面読取モードでは、スキャナユニット２０６を読取位置Ｒ１で固定したまま、まず原稿の表面の画像読み取りを行う。その後、原稿を反転パスで反転させて、原稿の裏面を画像読み取りを行う。なお、ＡＤＦ１００は、イメージリーダ２００上に開閉自在に設置されており、該ＡＤＦ１００を開いて原稿プラテン２０５上に原稿を載置し、スキャナユニット２０６を図の左右方向に移動させて原稿の画像を読み取らせることも可能である。
【００２４】
次に、片面読取モード時の原稿の搬送方法について説明する。
【００２５】
原稿トレイ１０５上に原稿束Ｐが積載され、不図示の操作部でスタートキー等が押下されると、繰り出しローラ１０３が回転しながら原稿束Ｐに下降し、当該原稿束の最上紙を給送ローラ１０２と分離パッド１０４で構成される分離部へ引き込む。分離部に引き込まれた原稿は、給送ローラ１０２と分離パッド１０４により１枚ずつ分離され、第１レジストローラ１０７ａ，１０７ｂへと搬送される。第１レジストローラ１０７ａ，１０７ｂは、原稿の先端が到達したときには回転が停止しており、給送ローラ１０２による原稿搬送でループが形成されて原稿の斜行補正が行われた後に、回転を開始して原稿を搬送する。
【００２６】
第１レジストローラ１０７ａ，１０７ｂにより搬送された原稿は、第２レジストローラ１０８、第１リードローラ１０９とリードコロローラ１１０、プラテンローラ１１１によって、プラテンガラス２０４上を所定の速度で搬送される。原稿の先端が第１リードローラ１０９とリードコロローラ１１０との間に到達する前に解除モータＭ４（不図示）を駆動することによって、第１リードローラ１０９とリードコロローラ１１０の加圧動作を行う。このとき、プラテンガラス２０４上の読取位置Ｒ１の下にスキャナユニット２０６が固定されており、スキャナユニット２０６により露光動作（画像読取動作）が行われる。この露光動作が行われている最中に、第１リードローラ１０９とリードコロローラ１１０の離間動作を行う。
【００２７】
原稿の後端が第１リードローラ１０９とリードコロローラ１１０の間を通過する前に解除モータＭ４（不図示）を駆動することによって第１リードローラ１０９とリードコロローラ１１０が徐々に離間される。このとき、原稿の先端は第２リードローラ１１２から第３リードローラ１１３を通過しており、原稿の搬送は第２リードローラ１１２と第３リードローラ１１３によって行われる。
【００２８】
読取位置Ｒ１で露光動作が行われている間は、排紙反転ローラ１１４ａ，１１４ｂ間は離間しているが、読取位置Ｒ１を原稿後端が通過して読み取りが終了すると、不図示のソレノイドＳＬ１がＯＮする。その結果、排紙反転ローラ１１４ｂが上方に移動し、原稿を排紙反転ローラ１１４ａと排紙反転ローラ１１４ｂとでニップし、排紙トレイ１０６上へ裏面排出する。
【００２９】
次に、両面読取モード時の原稿の搬送方法について説明する。
【００３０】
原稿トレイ１０５に積載された原稿束Ｐは、上述のように１枚ずつ分離され、装置内へ搬送される。そして、片面読取モード時と同様に、原稿がプラテンガラス２０４上を所定の速度で搬送される（第１の搬送）。このとき、プラテンガラス２０４上の読取位置Ｒ１の下にスキャナユニット２０６が固定されており、スキャナユニット２０６により１面目（表面）の露光動作が行われる。
【００３１】
原稿の後端が排紙センサＳ４を通過した後、排紙反転ローラ１１４ａ，１１４ｂの回転が逆転し、原稿の排紙方向とは逆方向に位置する第２レジストローラ１０８へ原稿をスイッチバックして搬送する（第２の搬送）。第２レジストローラ１０８は、原稿の先端が到達したときには停止しており、排紙反転ローラ１１４ａ，１１４ｂ、反転ローラ１１５の駆動によりループが形成されて原稿の斜行補正が行われた後、回転を開始して原稿を読取位置Ｒ１へ搬送する。読取位置Ｒ１では、１面目と同様に、スキャナユニット２０６により２面目（裏面）の露光動作が行われる。その後、原稿は排紙トレイ１０６へ向けて搬送される。
【００３２】
ＡＤＦ１００の構成上、２面目の露光動作が行われた後の原稿はフェイスアップ状態（１面目である表面が装置上方を向いている状態）になり、このまま排紙されると原稿の順序が逆になってしまう。すなわち、原稿トレイ１０５にページ順に積載された原稿が画像読み取りを終えて排紙トレイ１０６上に排紙される際には、ページ順が逆になってしまうので再反転を行う必要がある。そこで、原稿の後端が排紙センサＳ４を通過した後、排紙反転ローラ１１４ａ，１１４ｂの回転を逆転させ、再び原稿を装置内部へ搬送する。このとき、原稿面の反転動作しか行わないため、第２レジストローラ１０８での斜行補正を行わない。そして、原稿は、再度排紙反転ローラ１１４ａ，１１４ｂへ搬送され、該排紙反転ローラ１１４ａ，１１４ｂにニップされて排紙トレイ１０６上に裏面排紙される。これにより、原稿は、１面目（表面）が装置下方を向いているフェイスダウン状態で排紙される。
【００３３】
図２は、図１における制御部２０８の概略構成を示すブロック図である。
【００３４】
制御部２０８は、画像読取装置全体を制御するもので、ＣＰＵ回路部４００を中心に構成されている。ＣＰＵ回路部４００には、ＣＰＵ４０１、ＲＯＭ４０２、ＲＡＭ４０３などが設けられている。ＲＯＭ４０２は、ＣＰＵ４０１により実行されるプログラムを格納する。ＲＡＭ４０３は、ＣＰＵ４０１が使用する制御データを一時的に保持したり、制御に伴う演算の作業領域として用いられる。
【００３５】
ＣＰＵ回路部４００は、ＡＤＦ制御部１２０、イメージリーダ制御部２０１、画像信号制御部４０５、及びタッチパネル式の表示部やキー操作部等を備える操作部８００を制御する。ＡＤＦ制御部１２０はＡＤＦ１００を制御する。イメージリーダ制御部２０１はイメージリーダ２００を制御する。外部Ｉ／Ｆ４０６は、外部の装置（例えば、コンピュータ４０７）と接続するためのインターフェースである。
【００３６】
イメージリーダ制御部２０１は、イメージセンサ２０７で読み取られた画像のデータを画像信号制御部４０５に出力する。画像信号制御部４０５は、受信した画像データを外部Ｉ／Ｆ４０６を介してコンピュータ４０７に出力する。ＣＰＵ回路部４００は、操作部８００から操作信号を入力したり、操作部８００への表示信号を出力する。
【００３７】
図３は、図２におけるＡＤＦ制御部１２０の概略構成を示す図である。
【００３８】
ＣＰＵ回路部１２１は、ＡＤＦ１００全体を制御するＣＰＵ１２２、ＣＰＵ１２２により実行されるプログラムが格納されたＲＯＭ１２３、制御データを一時的に保持したり、制御に伴う演算の作業領域として用いられるＲＡＭ１２４を備える。
【００３９】
ＣＰＵ回路部１２１は、原稿を分離して第２レジストローラ１０８まで給送する分離給紙モータＭ１を制御する。また、第２レジストローラ１０８と第１リードローラ１０９、プラテンローラ１１１、第２リードローラ１１２、第３リードローラ１１３を駆動するリードモータＭ２を制御する。また、排紙動作及び両面読取モード時の反転搬送のために排紙反転ローラ１１４ａ，１１４ｂ、反転ローラ１１５を駆動する排紙反転モータＭ３を制御する。また、リードコロローラ１１０の圧を離間する解除モータＭ４、排紙反転ローラ１１４ａ、１１４ｂのニップを解除するためのソレノイドＳＬ１、及び電磁クラッチＣＬ１を制御する。
【００４０】
さらに、ＣＰＵ回路部１２１は、分離センサＳ１、レジストセンサＳ２、リードセンサＳ３、排紙センサＳ４、原稿セットセンサＳ５を制御する。また、原稿トレイ１０５上に原稿の長さを検出する原稿長サイズセンサ（不図示）Ｓ６，Ｓ７、原稿の幅を検出する原稿幅検知ボリュームＶＲ１を制御する。
【００４１】
ＣＰＵ回路部１２１は、ＣＰＵ＿Ｉ／Ｆ１２５を介してＣＰＵ回路部４００内のＣＰＵ４０１とリアルタイムに通信を行う。また、ＣＰＵ回路部１２１は、電子ペーパー検出部１０１及びページ切替部１１６に接続し、電子ペーパー検出部１０１から検出信号を受信したり、ページ切替部１１６にページ切替信号を送信したりする。
【００４２】
電子ペーパー検出部１０１には、ＲＦＩＤで電子ペーパーと通信するための不図示のアンテナや発信部、受信部などが設けられており、ＲＦＩＤを使って電子ペーパーを検出することができる。なお、電子ペーパーを検出する手段としては、電子ペーパーに電極が設けられ、ＡＤＦから電力を与える構成であってもよいし、光学センサなどの反射率を検出してもよく、これに限ったものではない。
【００４３】
次に、図１の画像読取装置１により、両面に画像表示可能な電子ペーパーを読み取る際の動作処理について図４〜図７を参照して説明する。
【００４４】
図４は、画像読取装置１により実行される電子ペーパー判別処理の一例を示すフローチャートである。本処理は、ＣＰＵ回路部１２１内のＣＰＵ１２２により実行されるものである。
【００４５】
ＣＰＵ１２２は、原稿セットセンサＳ５を監視し、原稿セットセンサＳ５がＯＮしたか否かを判定する（ステップＳ１０１）。原稿セットセンサＳ５がＯＮしたときは、原稿トレイ１０５上に原稿があると判断して、ステップＳ１０２へ進む。
【００４６】
次に、ステップＳ１０２では、ＣＰＵ１２２は、電子ペーパー検出部１０１から検出信号を受信したか否かを判定する。ＣＰＵ１２２は、検出信号を受信しなかった場合（ステップＳ１０２でＮＯ）、原稿が紙媒体であると判断して操作部８００上の不図示のスタートキーが押下されるまで待機する（ステップＳ１０７）。スタートキーが押下されたときは（ステップＳ１０７でＹＥＳ）、通常（紙媒体）の読取処理（ステップＳ１０８）を実行する。
【００４７】
一方、電子ペーパー検出部１０１が電子ペーパーに搭載されたＲＦＩＤタグから信号を受信して、ＣＰＵ１２２が電子ペーパー検出部１０１から検出信号を受信したときは、原稿が電子ペーパーであると判断する（ステップＳ１０２でＹＥＳ）。次に、ステップＳ１０３では、ＣＰＵ１２２は電子ペーパーから各種情報を取得する（ステップＳ１０３）。取得する情報には、両面に画像表示可能な電子ペーパーか否かの情報や電子ペーパーに格納されている画像情報（ファイル情報）、ページ数、サイズ等の原稿に関わる情報が含まれる。
【００４８】
次に、ステップＳ１０４では、ＣＰＵ１２２は、ステップＳ１０３で取得した情報に基づいて、図５に示すような画面５００を操作部８００に表示し、ユーザーに画像読取を行うファイルの選択を促す。図示例では、ファイル名「ａａａ」が選択されている（斜線部）。ユーザーによりファイルが選択されると、不図示の設定画面を表示し片面読取モードと両面読取モードのいずれかモードを設定するように促す。なお、設定画面については図示していないが、設定（または選択）が可能なものであれば、その表示形式や方法は問わない。
【００４９】
画面５００においてファイル選択が終わった場合、ユーザーはＯＫボタン５０１を押下する。一方、処理をキャンセルする場合には、ユーザーはキャンセルボタン５０２を押下する。次に、ＣＰＵ１２２は、操作部８００上で不図示のスタートボタンが押下されたか否かを判定し（ステップＳ１０５）、スタートボタンが押下されたと判断したときは、電子ペーパーの読取処理（ステップＳ１０６）を開始する。
【００５０】
図６は、図４のステップＳ１０６における電子ペーパーの読取処理の詳細を示すフローチャートである。本処理では、電子ペーパー内に格納されている３ページ分の画像を有する画像ファイルの読取動作について説明を行う。
【００５１】
まず、ＣＰＵ１２２の指示に基づき、原稿トレイ１０５に積載された電子ペーパーがＡＤＦ１００内に分離搬送される（ステップＳ２０１）。このとき、ページ数Ｎ＝１とする。
【００５２】
次に、リードセンサＳ３が電子ペーパーの先端を検出（１回目）すると（ステップＳ２０２でＹＥＳ）、ＣＰＵ１２２は、ページ切替部１１６により電子ペーパーと通信を行い、電子ペーパーの表面に１ページ目の画像情報を表示させる（ステップＳ２０３）。ページ切替部１１６は、ＣＰＵ１２２からのページ切替信号に応じて、搬送パスを通過中の電子ペーパーに対して、ページ切替信号を送信する。電子ペーパーは、ページ切替信号の受信に応じて、画像情報を表面に表示する。
【００５３】
表面に１ページ目の画像が表示された電子ペーパーがプラテンガラス２０４上を所定速度で搬送される際に、読取位置Ｒ１で１ページ目の画像の読取動作が行われ、ＣＰＵ１２２は読み取ったページ数Ｎの加算（Ｎ＝Ｎ＋１）を行う（ステップＳ２０４）。
【００５４】
次に、ＣＰＵ１２２は、電子ペーパーから続けて読み取るページがあるか否かを判定し（ステップＳ２０５）、続けて読み取るページがある場合には、ＡＤＦ１００に電子ペーパーの反転動作を行うように指示する（ステップＳ２０７）。具体的には、電子ペーパーの後端が排紙センサＳ４を通過するのを待って排紙反転ローラ１１４ａ，１１４ｂを逆転させ、排紙方向とは逆方向に位置する第２レジストローラ１０８へ電子ペーパーをスイッチバックして搬送する。第２レジストローラ１０８は、電子ペーパー先端の到達時には停止しており、排紙反転ローラ１１４ａ，１１４ｂ、反転ローラ１１５の駆動によりループを形成して斜行補正を行い、搬送を開始する。
【００５５】
次に、反転された電子ペーパーの先端をリードセンサＳ３が検出（２回目）すると（ステップＳ２０８でＹＥＳ）、ＣＰＵ１２２は、ページ数Ｎが奇数であるか否かを判断する（ステップＳ２０９）。Ｎが偶数（Ｎ＝２）の場合には、電子ペーパーに表示された画像の切り替えを行うために、ＣＰＵ１２２は、ページ切替部１１６により電子ペーパーと通信を行い、電子ペーパーの裏面に２ページ目の画像情報を表示させる（ステップＳ２１０）。ステップＳ２０３と同様に、ページ切替部１１６は、ＣＰＵ１２２からのページ切替信号に応じて、搬送パスを通過中の電子ペーパーに対して、ページ切替信号を送信する。電子ペーパーは、ページ切替信号の受信に応じて、画像情報を裏面に表示する。
【００５６】
裏面に２ページ目の画像が表示された電子ペーパーがプラテンガラス２０４上を所定速度で搬送される際に、読取位置Ｒ１で２ページ目の画像の読取動作が行われ、ＣＰＵ１２２は読み取ったページ数Ｎの加算（Ｎ＝Ｎ＋１）を行う（ステップＳ２０４）。
【００５７】
次に、ＣＰＵ１２２は、電子ペーパーから続けて読み取るページがあるか否かを判定し（ステップＳ２０５）、続けて読み取るページがある場合には、上述したように、電子ペーパーの反転動作を行うように指示する（ステップＳ２０７）。
【００５８】
反転された電子ペーパーの先端をリードセンサＳ３が検出（３回目）すると（ステップＳ２０８でＹＥＳ）、ＣＰＵ１２２は、ページ数Ｎが奇数であるか否かを判断する（ステップＳ２０９）。Ｎが奇数（Ｎ＝３）の場合には、電子ペーパーに表示された画像の切り替えを行うために、ＣＰＵ１２２は、ページ切替部１１６により電子ペーパーと通信を行い、電子ペーパーの表面に３ページ目の画像情報を表示させる（ステップＳ２１１）。
【００５９】
表面に３ページ目の画像が表示された電子ペーパーがプラテンガラス２０４上を所定速度で搬送される際に、読取位置Ｒ１で３ページ目の画像の読取動作が行われ、ＣＰＵ１２２は読み取ったページ数Ｎの加算（Ｎ＝Ｎ＋１）を行う（ステップＳ２０４）。
【００６０】
次に、ＣＰＵ１２２は、電子ペーパーから続けて読み取るページがあるか否かを判定する（ステップＳ２０５）。判定の結果、次ページがなく、ファイルのページ数を全て読み取った場合、ＣＰＵ１２２は、電子ペーパーを排紙反転ローラ１１４ａ，１１４ｂにニップさせて排紙トレイ１０６上に排紙するように動作させる。
【００６１】
上記第１の実施形態によれば、電子ペーパーの表面に画像ファイルの１ページ目の画像を表示させた後に該表面の画像を読み取る。そして、画像を読み取る度にカウントされるページ数Ｎが奇数のときは、電子ペーパー表面に奇数ページの画像を表示させて画像を読み取り、ページ数が奇数でないときは、電子ペーパー裏面に偶数ページの画像を表示させて画像を読み取る。この処理は本実施例における第２の制御手段の一例である。これにより、両面に画像表示可能な電子ペーパーから複数ページにわたる画像を読み取る場合であっても、読み取り効率を落とすことなく、画像読み取りを行うことができる。
【００６２】
上記第１の実施の形態では、３ページの画像を読み取る場合を説明したが、偶数ページの画像を読み取る場合、前述した紙媒体での排紙動作ではフェイスダウンでの排紙を実現するために再度反転動作を行っていた。電子ペーパーの場合には、物理的な原稿は１枚であるため再度反転することなくフェイスアップ排紙でも構わない。
【００６３】
［第２の実施形態］
本発明の第２の実施形態に係る画像読取装置は、その構成（図１〜図３）及び電子ペーパー判別処理（図４、図５）が上記第１の実施の形態に係る画像読取装置と同じであり、第１の実施の形態と同様の部分については、同一の符号を用いてその説明を省略する。以下に、上記第１の実施の形態と異なる点のみを説明する。
【００６４】
図７は、本発明の第２の実施形態に係る画像読取装置で実行される電子ペーパーの読取処理の詳細を示すフローチャートである。本処理は、図５のステップＳ１０６において実行される処理である。本処理では、電子ペーパー内に格納されている３ページ分の画像を有するファイルの読取動作について説明を行う。
【００６５】
まず、ＣＰＵ１２２の指示に基づき、原稿トレイ１０５に積載された電子ペーパーがＡＤＦ１００内に分離搬送される（ステップＳ３０１）。このとき、ページ数Ｎ＝１とする。
【００６６】
次に、リードセンサＳ３が電子ペーパーの先端を検出（１回目）すると（ステップＳ３０２でＹＥＳ）、ステップＳ３０３へ進む。ステップＳ３０３では、ＣＰＵ１２２は、ページ切替部１１６により電子ペーパーと通信を行い、電子ペーパーの表面に１ページ目の画像情報を、その裏面に２ページ目の画像情報を表示させる。ページ切替部１１６は、ＣＰＵ１２２からのページ切替信号に応じて、搬送パスを通過中の電子ペーパーに対して、ページ切替信号を送信する。電子ペーパーは、ページ切替信号の受信に応じて、画像情報を表面及び裏面に表示する。
【００６７】
表面に１ページ目の画像が表示された電子ペーパーがプラテンガラス２０４上を所定速度で搬送される際に、読取位置Ｒ１で１ページ目の画像の読取動作が行われ、ＣＰＵ１２２はページ数Ｎの加算（Ｎ＝Ｎ＋１）を行う（ステップＳ３０４）。
【００６８】
次に、ＣＰＵ１２２は、電子ペーパーから続けて読み取るページがあるか否かを判定し（ステップＳ３０５）、続けて読み取るページがある場合には、電子ペーパーの反転動作を行うように指示する（ステップＳ３０７）。具体的には、電子ペーパーの後端が排紙センサＳ４を通過するのを待って排紙反転ローラ１１４ａ，１１４ｂを逆転させ、排紙方向とは逆方向に位置する第２レジストローラ１０８へ電子ペーパーをスイッチバックして搬送する。第２レジストローラ１０８は、電子ぺーパー先端の到達時には停止しており、排紙反転ローラ１１４ａ，１１４ｂ、反転ローラ１１５の駆動によりループを形成して斜行補正を行い、搬送を開始する。
【００６９】
次に、反転させた電子ペーパーの先端をリードセンサＳ３が検出（２回目）すると（ステップＳ３０８でＹＥＳ）、ＣＰＵ１２２は、ページ数Ｎが奇数であるか否かを判断する（ステップＳ３０９）。Ｎが偶数（Ｎ＝２）の場合には、既に電子ペーパーの裏面に２ページ目の画像が表示されているので、電子ペーパーがプラテンガラス２０４上を所定速度で搬送される際に、読取位置Ｒ１で２ページ目の画像の読取動作が行われる（ステップＳ３０４）。このとき、ＣＰＵ１２２は読み取ったページ数Ｎの加算（Ｎ＝Ｎ＋１）を行う。
【００７０】
次に、ＣＰＵ１２２は、電子ペーパーから続けて読み取るページがあるか否かを判定し（ステップＳ３０５）、続けて読み取るページがある場合には、上述したように、電子ペーパーの反転動作を行うように指示する（ステップＳ３０７）。
【００７１】
反転された電子ペーパーの先端をリードセンサＳ３が検出（３回目）すると（ステップＳ３０８）、ＣＰＵ１２２は、ページ数Ｎが奇数であるか否かを判断する（ステップＳ３０９）。Ｎが奇数（Ｎ＝３）の場合には、ＣＰＵ１２２は、ページ切替部１１６により電子ペーパーと通信を行い、電子ペーパーの表面にＮページ目（Ｎ＝３）の画像情報、裏面へ（Ｎ＋１）ページ目の画像情報を表示させる（ステップＳ３１０）。本実施の形態では、ファイルの総ページ数が３ページであることから、４ページ目の画像表示は行わない。
【００７２】
表面に３ページ目の画像が表示された電子ペーパーがプラテンガラス２０４上を所定速度で搬送される際に、読取位置Ｒ１で３ページ目の画像の読取動作が行われ、ＣＰＵ１２２は読み取ったページ数Ｎの加算（Ｎ＝Ｎ＋１）を行う（ステップＳ３０４）。
【００７３】
ＣＰＵ１２２は、電子ペーパーから続けて読み取るページがあるか否かを判定する（ステップＳ３０５）。判定の結果、次ページがなく、ファイルのページ数を全て読み取った場合、ＣＰＵ１２２は、電子ペーパーを排紙反転ローラ１１４ａ，１１４ｂにニップさせて排紙トレイ１０６上に排紙するように動作させる（ステップＳ３０７）。
【００７４】
上記第２の実施形態によれば、電子ペーパー表面に１ページ目、裏面に２ページ目の画像を表示させた後に表面の表示画像を読み取る。そして、画像を読み取る度にカウントされるページ数Ｎが奇数のときは、電子ペーパーの表面に奇数ページの画像を表示させ、且つ裏面に当該奇数ページの次のページの画像を表示させ、これらの表示画像を読み取る。この処理は本実施例における第２の制御手段の一例である。これにより、両面に画像表示可能な電子ペーパーから複数ページにわたる画像を読み取る場合であっても、読み取り効率を落とすことなく、画像読み取りを行うことができる。
【００７５】
［第３の実施形態］
図８は、本発明の第３の実施形態に係る画像読取装置の概略構成を示す図である。
【００７６】
図示の画像読取装置１０は、図１の画像読取装置１のＡＤＦ１００内に裏面読み取り用の光学ユニット１６７を搭載したものであり、その他の構成要素で同一のものついては同一の符号を付してそれらの説明を省略する。
【００７７】
光学ユニット１６７を搭載した画像読取装置１０では、反転パスで原稿を反転させなくとも表面をスキャナユニット２０６（第１の読取手段）、裏面を光学ユニット１６７（第２の読取手段）で読み取ることができる。光学ユニット１６７は、ＣＰＵ１２２により制御される。光学ユニット１６７内には、図示しないイメージセンサ及び光源等が配置されている。
【００７８】
両面読取モード時の原稿の搬送方法について説明する。
【００７９】
図示のように、ＡＤＦ１５０は、原稿載置台としての原稿トレイ１０５を有する。原稿トレイ１０５上に原稿束Ｐが積載され、不図示の操作部でスタートキー等が押下されると、繰り出しローラ１０３が回転しながら原稿束Ｐに下降し、当該原稿束の最上紙を給送ローラ１０２と分離パッド１０４で構成される分離部へ引き込む。分離部に引き込まれた原稿は、給送ローラ１０２と分離パッド１０４により１枚ずつ分離され、第１レジストローラ１０７ａ，１０７ｂへと搬送される。第１レジストローラ１０７ａ，１０７ｂは、原稿の先端が到達したときには回転が停止しており、給送ローラ１０２による原稿搬送でループが形成されて原稿の斜行補正が行われた後に、回転を開始して原稿を搬送する。
【００８０】
第１レジストローラ１０７ａ，１０７ｂにより搬送された原稿は、第２レジストローラ１０８、第１リードローラ１０９とリードコロローラ１１０、プラテンローラ１１１によって、プラテンガラス２０４上を所定の速度で搬送される（第１の搬送）。原稿の先端が第１リードローラ１０９とリードコロローラ１１０との間に到達する前に解除モータＭ４（不図示）を駆動することによって、第１リードローラ１０９とリードコロローラ１１０の加圧動作を行う。このとき、プラテンガラス２０４上の読取位置Ｒ１の下にスキャナユニット２０６が固定されており、スキャナユニット２０６により露光動作（画像読取動作）が行われる。この露光動作が行われている最中に、第１リードローラ１０９とリードコロローラ１１０の離間動作を行う。
【００８１】
原稿の後端が第１リードローラ１０９とリードコロローラ１１０の間を通過する前に解除モータＭ４（不図示）を駆動することによって第１リードローラ１０９とリードコロローラ１１０が徐々に離間される。このとき、原稿の先端は第２リードローラ１１２から第３リードローラ１１３を通過しており、原稿の搬送は第２リードローラ１１２と第３リードローラ１１３によって行われる。
【００８２】
原稿は第２リードローラ１１２と第３リードローラ１１３によって光学ユニット１６７下まで所定の速度で搬送され（第１の搬送）、裏面読取位置Ｒ２で光学ユニット１６７により裏面の露光動作（読取動作）が行われる。裏面読取位置Ｒ２で露光動作が行われている間は、排紙反転ローラ１１４ａ，１１４ｂ間は離間しているが、光学ユニット１６７による裏面の画像読み取りが終了した後、ソレノイドＳＬ１をＯＮする。その結果、排紙反転ローラ１１４ｂが上方に移動し、原稿を排紙反転ローラ１１４ａと排紙反転ローラ１１４ｂとでニップし、排紙トレイ１０６上へ裏面排出する。これにより、１度の搬送で両面原稿の読み取りを実現している。
【００８３】
ＡＤＦ１５０は、原稿を反転させる反転パスを有し、反転ローラ１１５によって原稿を反転して再びプラテンガラス２０４上の読取位置Ｒ１に搬送することが可能である（第２の搬送）。
【００８４】
画像読取装置１０における制御部については図２と同じ構成であり、ＡＤＦ制御部についても図３のＡＤＦ１５０と同じ構成であることからそれらの説明は省略する。
【００８５】
図９は、本発明の第３の実施形態に係る画像読取装置で実行される電子ペーパーの読取処理の詳細を示すフローチャートである。本処理は、図５のステップＳ１０６において実行される処理である。本処理では、電子ペーパー内に格納されている６ページ分の画像を有するファイルの読取動作について説明を行う。
【００８６】
まず、ＣＰＵ１２２の指示に基づき、原稿トレイ１０５に積載された電子ペーパーがＡＤＦ１５０内に分離搬送される（ステップＳ４０１）。このとき、電子ペーパーの反転搬送部の通過回数Ｎ＝１とする。
【００８７】
次に、リードセンサＳ３が電子ペーパーの先端を検出（１回目）すると（ステップＳ４０２でＹＥＳ）、ステップＳ４０３へ進む。ステップＳ４０３では、ＣＰＵ１２２は、ページ切替部１１６により電子ペーパーと通信を行い、電子ペーパーの表面に１ページ目の画像情報を、その裏面に２ページ目の画像情報を表示させる。ページ切替部１１６は、ＣＰＵ１２２からのページ切替信号に応じて、搬送パスを通過中の電子ペーパーに対して、ページ切替信号を送信する。電子ペーパーは、ページ切替信号の受信に応じて、画像情報を表面及び裏面に表示する。
【００８８】
表面に１ページ目の画像が表示された電子ペーパーがプラテンガラス２０４上を所定速度で搬送される際に、読取位置Ｒ１で１ページ目（１面目）の画像の読取動作が行われる（ステップＳ４０４）。続けて、光学ユニット１６７が所定の速度で搬送される電子ペーパーの２ページ目（２面目）の画像を裏面読取位置Ｒ２で読み取る（ステップＳ４０５）。
【００８９】
次に、ＣＰＵ１２２は、電子ペーパーから続けて読み取るページがあるか否かを判定し（ステップＳ４０６）、続けて読み取るページがある場合には、電子ペーパーの反転動作を行うように指示する（ステップＳ４０８）。具体的には、電子ペーパーの後端が排紙センサＳ４及び光学ユニット１６７を通過するのを待って排紙反転ローラ１１４ａ，１１４ｂを逆転させ、排紙方向とは逆方向に位置する第２レジストローラ１０８へ電子ペーパーをスイッチバックして搬送する。第２レジストローラ１０８は、電子ペーパー先端の到達時には停止しており、排紙反転ローラ１１４ａ，１１４ｂ、反転ローラ１１５の駆動によりループを形成して斜行補正を行い、搬送を開始する。
【００９０】
次に、反転させた電子ペーパーの先端をリードセンサＳ３が検出すると（ステップＳ４０９でＹＥＳ）、ＣＰＵ１２２は、電子ペーパーの反転搬送部の通過回数Ｎが奇数であるか否かを判断する（ステップＳ４１０）。Ｎが奇数の場合、ページ切替部１１６により切替を行い、電子ペーパーの表面に（現表示ページ＋３）ページ目（１＋３＝４ページ目）の画像、その裏面に（現表示ページ＋１）ページ目（２＋１＝３ページ目）の画像を表示させる（ステップＳ４１１）。つづいて、ＣＰＵ１２２は、電子ペーパーの反転搬送部の通過回数Ｎに１を加える（Ｎ＝Ｎ＋１）（ステップＳ４１３）。
【００９１】
裏面に３ページ目の画像が表示された電子ペーパーがプラテンガラス２０４上を所定速度で搬送される際に、読取位置Ｒ１で３ページ目の画像の読取動作が行われる（ステップＳ４０４）。続けて、光学ユニット１６７が所定の速度で搬送される電子ペーパーの表面に表示されている４ページ目の画像を裏面読取位置Ｒ２で読み取る（ステップＳ４０５）。
【００９２】
次に、ＣＰＵ１２２は、電子ペーパーから続けて読み取るページがあるか否かを判定し（ステップＳ４０６）、続けて読み取るページがある場合には、上述したように、電子ペーパーの反転動作を行うように指示する（ステップＳ４０８）。
【００９３】
次に、反転させた電子ペーパーの先端をリードセンサＳ３が検出すると（ステップＳ４０９でＹＥＳ）、ＣＰＵ１２２は、電子ペーパーの反転搬送部の通過回数Ｎが奇数であるか否かを判断する（ステップＳ４１０）。Ｎが偶数の場合、ページ切替部１１６により切替を行い、電子ペーパーの表面に（現表示ページ＋１）ページ目（４＋１＝５ページ目）の画像、裏面に（現表示ページ＋３）ページ目（３＋３＝６ページ目）の画像を表示させる（ステップＳ４１２）。つづいて、ＣＰＵ１２２は、電子ペーパーの反転搬送部の通過回数Ｎに１を加える（Ｎ＝Ｎ＋１）（ステップＳ４１３）。
【００９４】
表面に５ページ目の画像が表示された電子ペーパーがプラテンガラス２０４上を所定速度で搬送される際に、読取位置Ｒ１で５ページ目の画像の読取動作が行われる（ステップＳ４０４）。続けて、光学ユニット１６７が所定の速度で搬送される電子ペーパーの裏面に表示されている６ページ目の画像を裏面読取位置Ｒ２で読み取る（ステップＳ４０５）。
【００９５】
次に、ＣＰＵ１２２は、電子ペーパーから続けて読み取るページがあるか否かを判定する（ステップＳ４０５）。判定の結果、次ページがなく、ファイルのページ数を全て読み取った場合、ＣＰＵ１２２は、電子ペーパーを排紙反転ローラ１１４ａ，１１４ｂにニップさせて排紙トレイ１０６上に排紙するように動作させる（ステップＳ４０７）。
【００９６】
図１０は、図９の処理で電子ペーパーに表示する画像の順序を表した図である。
【００９７】
ＡＤＦ１５０内を搬送される電子ペーパーの表面には、１ページ目、４ページ目、５ページ目、・・・の順で画像が表示され、電子ペーパーの裏面には、２ページ目、３ページ目、６ページ目、・・・の順で画像が表示される。このような表示切り替え制御を行いながら、スキャナユニット２０６と光学ユニット１６７の通過に合わせ画像を読み取ることで画像読取装置に入力される画像データの順番はページ順と同じになるようにしている。
【００９８】
上記第３の実施形態によれば、電子ペーパー表面に１ページ目、裏面に２ページ目の画像を表示させた後に表面及び裏面の表示画像をそれぞれ読み取る。そして、読取位置Ｒ１に電子ペーパーを搬送する度にカウントされるページ数Ｎが奇数のときは、電子ペーパー表面の表示画像のページに３を加えたページ画像を表示させ、且つ裏面の表示画像のページに１を加えたページ画像を表示させて各表示画像を読み取る。一方、ページ数Ｎが奇数でないときは、電子ペーパーの表面の表示画像のページに１を加えてページの画像を表示させ、且つ裏面の表示画像のページに３を加えたページの画像を表示させて、これらの表示画像を読み取る。これにより、表面読取用の読取手段と裏面読取用の読取手段を備える画像読取装置において、両面に画像表示可能な電子ペーパーから複数ページにわたる画像を読み取る場合であっても、読み取り効率を落とすことなく、画像読み取りを行うことができる。
【００９９】
［第４の実施形態］
本発明の第４の実施形態に係る画像読取装置は、その構成が図８の画像読取装置と同じであり、上記第３の実施の形態と同様の部分については、同一の符号を用いてその説明を省略する。以下に、上記第１の実施の形態と異なる点のみを説明する。
【０１００】
図１１は、本発明の第４の実施形態に係る画像読取装置で実行される電子ペーパーの読取処理の詳細を示すフローチャートである。本処理は、図５のステップＳ１０６において実行される処理である。本処理では、電子ペーパー内に格納されている６ページ分の画像を有するファイルの読取動作について説明を行う。
【０１０１】
まず、ＣＰＵ１２２の指示に基づき、原稿トレイ１０５に積載された電子ペーパーがＡＤＦ１５０内に分離搬送される（ステップＳ５０１）。このとき、電子ペーパーの反転搬送部の通過回数Ｎ＝１とする。
【０１０２】
次に、リードセンサＳ３が電子ペーパーの先端を検出（１回目）すると（ステップＳ５０２でＹＥＳ）、ステップＳ５０３へ進む。ステップＳ５０３では、ＣＰＵ１２２は、ページ切替部１１６により電子ペーパーと通信を行い、電子ペーパーの表面に１ページ目の画像情報を、その裏面に２ページ目の画像情報を表示させる。ページ切替部１１６は、ＣＰＵ１２２からのページ切替信号に応じて、搬送パスを通過中の電子ペーパーに対して、ページ切替信号を送信する。電子ペーパーは、ページ切替信号の受信に応じて、画像情報を表面及び裏面に表示する。
【０１０３】
表面に１ページ目の画像が表示された電子ペーパーがプラテンガラス２０４上を所定速度で搬送される際に、読取位置Ｒ１で１ページ目の画像の読取動作が行われる（ステップＳ５０４）。続けて、光学ユニット１６７が所定の速度で搬送される電子ペーパーの２ページ目の画像を裏面読取位置Ｒ２で読み取る（ステップＳ５０５）。
【０１０４】
次に、ＣＰＵ１２２は、電子ペーパーから続けて読み取るページがあるか否かを判定し（ステップＳ５０６）、続けて読み取るページがある場合には、電子ペーパーの反転動作を行うように指示する（ステップＳ５０８）。具体的には、電子ペーパーの後端が排紙センサＳ４及び光学ユニット１６７を通過するのを待って排紙反転ローラ１１４ａ，１１４ｂを逆転させ、排紙方向とは逆方向に位置する第２レジストローラ１０８へ電子ペーパーをスイッチバックして搬送する。第２レジストローラ１０８は、電子ペーパー先端の到達時には停止しており、排紙反転ローラ１１４ａ，１１４ｂ、反転ローラ１１５の駆動によりループを形成して斜行補正を行い、搬送を開始する。
【０１０５】
次に、反転させた電子ペーパーの先端をリードセンサＳ３が検出すると（ステップＳ５０９でＹＥＳ）、ステップＳ５１０へ進む。ステップＳ５１０では、ＣＰＵ１２２は、ページ切替部１１６により切替を行い、電子ペーパーの表面に（現表示ページ＋２）ページ目（１＋２＝３ページ目）の画像、その裏面に（現表示ページ＋２）ページ目（２＋２＝４ページ目）の画像を表示させる。つづいて、ＣＰＵ１２２は、電子ペーパーの反転搬送部の通過回数Ｎに１を加える（ステップＳ５１１）。
【０１０６】
裏面に４ページ目の画像が表示された電子パーパーがプラテンガラス２０４上を所定速度で搬送される際に、読取位置Ｒ１で４ページ目の画像の読取動作が行われる（ステップＳ５０４）。続けて、光学ユニット１６７が所定の速度で搬送される電子ペーパーの表面に表示されている３ページ目の画像を裏面読取位置Ｒ２で読み取る（ステップＳ５０５）。
【０１０７】
次に、ＣＰＵ１２２は、電子ペーパーから続けて読み取るページがあるか否かを判定し（ステップＳ５０６）、続けて読み取るページがある場合には、上述したように、電子ペーパーの反転動作を行うように指示する（ステップＳ５０８）。
【０１０８】
次に、反転させた電子ペーパーの先端をリードセンサＳ３が検出すると（ステップＳ５０９でＹＥＳ）、ステップＳ５１０へ進む。ステップＳ５１０では、ＣＰＵ１２２は、ページ切替部１１６により切替を行い、電子ペーパーの表面へ（現表示ページ＋２）ページ目（３＋２＝５ページ目）の画像、裏面に（現表示ページ＋２）ページ目（４＋２＝６ページ目）の画像を表示させる。つづいて、ＣＰＵ１２２は、電子ペーパーの反転搬送部の通過回数Ｎに１を加える（Ｎ＝Ｎ＋１）（ステップＳ５１１）。
【０１０９】
表面に５ページ目の画像が表示された電子ペーパーがプラテンガラス２０４上を所定速度で搬送される際に、読取位置Ｒ１で５ページ目の読取動作が行われる（ステップＳ５０４）。続けて、光学ユニット１６７が所定の速度で搬送される電子ペーパーの裏面に表示されている６ページ目の画像を裏面読取位置Ｒ２で読み取る（ステップＳ５０５）。
【０１１０】
次に、ＣＰＵ１２２は、電子ペーパーから続けて読み取るページがあるか否かを判定する（ステップＳ５０５）。判定の結果、次ページがなく、ファイルのページ数を全て読み取った場合、ＣＰＵ１２２は、電子ペーパーを排紙反転ローラ１１４ａ，１１４ｂにニップさせて排紙トレイ１０６上に排紙するように動作させる（ステップＳ５０７）。
【０１１１】
図１２は、図１３の処理で電子ペーパーに表示する画像の順序を表した図である。
【０１１２】
ＡＤＦ１５０内を搬送される電子ペーパー原稿の表面には、１ページ目、３ページ目、５ページ目、・・・の順で画像が表示され、電子ペーパーの裏面には、２ページ目、４ページ目、６ページ目、・・・の順で画像が表示される。このように、表面に奇数ページの画像、裏面に偶数ページの画像を表示させて画像読み取りを行うと、画像データの順番がページ順と異なるので、ＣＰＵ４０１がページ順を入れ替えてデータを処理することが必要となる。
【０１１３】
上記第４の実施形態によれば、電子ペーパー表面に１ページ目、裏面に２ページ目の画像を表示させた後に表面及び裏面の表示画像をそれぞれ読み取る。その後、反転された電子ペーパーに対して、当該電子ペーパーの表面に表示された画像のページに２を加えたページの画像を表示させ、且つ前記電子ペーパーの裏面に表示された画像のページに２を加えたページの画像を表示させて、これらの表示画像を読み取る。これにより、表面読取用の読取手段と裏面読取用の読取手段を備える画像読取装置において、両面に画像表示可能な電子ペーパーから複数ページにわたる画像を読み取る場合であっても、読み取り効率を落とすことなく、画像読み取りを行うことができる。
【０１１４】
上記第１〜第４の実施形態では、ステップＳ２０５，Ｓ３０５，Ｓ４０６，Ｓ５０６においてファイルのページ数を判定しているが、判定方法についてはどのような方法であってもよい。例えば、電子ペーパー検出部１０１が電子ペーパーを検出した際に、該電子ペーパーから取得したページ数に基づいて判定を行うようにしてもよい。
【０１１５】
上記実施の形態では、スキャナ装置等の画像読取装置について説明したが、印刷機能を備える画像形成装置や複合機等に適用してもよいことは云うまでもない。
【０１１６】
また、本発明の各工程は、ネットワーク又は各種記憶媒体を介して取得したソフトウエア（プログラム）を画像読取装置等の処理装置（ＣＰＵ、プロセッサ）にて実行することでも実現できる。
【符号の説明】
【０１１７】
１，１０  画像読取装置
１００，１５０  ＡＤＦ
１０１  電子ペーパー検出部
１１６  ページ切替部
１２０  ＡＤＦ制御部
１２１，４０１  ＣＰＵ
１６７  光学ユニット
２００  イメージリーダ
２０６  スキャナユニット
４００  ＣＰＵ回路部
８００  操作部
【図１】
2010251833.tif 000003
【図２】
2010251833.tif 000004
【図３】
2010251833.tif 000005
【図４】
2010251833.tif 000006
【図５】
2010251833.tif 000007
【図６】
2010251833.tif 000008
【図７】
2010251833.tif 000009
【図８】
2010251833.tif 000010
【図９】
2010251833.tif 000011
【図１０】
2010251833.tif 000012
【図１１】
2010251833.tif 000013
【図１２】
2010251833.tif 000014